(57)【要約】【課題】    調髪を受ける者の頭部に接触させる部分を有さず、髪の切り屑を頭部から除去することができる装置を提供する。【解決手段】調髪に際し調髪を受ける者の頭部に向けて気体を噴射する装置であって、気体の供給源に一端が連結される導管と、該導管の他端に取り付けられ、気体を吐出するノズル部と、を備えてなる、装置である。前記導管が、所定の剛性を有する回動部を少なくとも一部に有してなり、該回動部の一端に存する回動軸が、該回動部の該一端と他端とを結ぶ第１線分を含む直線上に存さず水平面に対して所定の角度をなすものであってもよい。【選択図】  図４
2006043060.tif 000002
【特許請求の範囲】
【請求項１】
調髪に際し調髪を受ける者の頭部に向けて気体を噴射する装置であって、
気体の供給源に一端が連結される導管と、該導管の他端に取り付けられ、気体を吐出するノズル部と、を備えてなる、装置。
【請求項２】
前記導管が、所定の剛性を有する回動部を少なくとも一部に有してなり、
該回動部の一端に存する回動軸が、該回動部の該一端と他端とを結ぶ第１線分を含む直線上に存さず水平面に対して所定の角度をなすものである、請求項１に記載の装置。
【請求項３】
前記所定の角度が５０〜９０度である、請求項２に記載の装置。
【請求項４】
前記回動軸が、壁面を含む平面である壁平面の内側に存し、
前記回動部が所定の回動位置においては前記回動部の前記他端が該壁平面から突出すると共に、前記回動部が所定の回動位置においては前記回動部の前記他端が該壁平面の内側に存するものである、請求項２又は３に記載の装置。
【請求項５】
前記壁面が鏡面である、請求項４に記載の装置。
【請求項６】
前記調髪を受ける者の頭部が位置すると想定される高さよりも高い位置において前記回動部が回動するものである、請求項２乃至５のいずれか１に記載の装置。
【請求項７】
前記回動部が伸縮するものであり、
前記回動部が最も伸びた状態において、前記回動部が回動すると、前記者の頭部の真上を前記回動部が通過するものである、請求項６に記載の装置。
【請求項８】
前記回動部が、内部に気体を流通させる柔軟な管部と、該管部を長手方向に沿って支持する棒状部材である支持棒材と、を含んでなるものであり、
該支持棒材が伸縮することで前記回動部が伸縮するものである、請求項７に記載の装置。
【請求項９】
前記回動部が、中空の内側パイプと、該内側パイプにスライド自在に外嵌される外側パイプと、を含んでなり、該内側パイプと該外側パイプとの内部空間を前記気体が流通し、該内側パイプに対して該外側パイプがスライドすることで前記回動部が伸縮するものである、請求項７に記載の装置。
【請求項１０】
前記導管が、前記回動部の前記他端と前記ノズル部との間に柔軟な柔軟管部を有するものである、請求項２乃至９のいずれか１に記載の装置。
【請求項１１】
前記ノズル部が、前記気体噴射を断続する断続弁を有するものである、請求項１乃至１０のいずれか１に記載の装置。
【発明の詳細な説明】
【技術分野】
【０００１】
本発明は、調髪を受ける者の頭部に向けて気体を噴射する装置に関し、より詳細には、調髪に際し、噴射された気体によって髪の切り屑等を吹き飛ばすことで除去すること等ができる、調髪を受ける者の頭部に向けて気体を噴射する装置に関する。
【背景技術】
【０００２】
髪を刈ったり結ったりとかすことで髪を整える調髪においては、様々な作業を要する。例えば、髪を刈れば髪の切り屑が生じ、調髪を受ける者の頭部にかかる切り屑が付着する。これまでこの切り屑は、調髪する中で洗髪すること等によって除去されてきたが、調髪をより短い時間内やより安価にすませたいという要求が生じてきた。かかる要求から見れば、洗髪は調髪時間を長くし、さらに作業量も多いことからいきおい調髪費用を上昇させる。
このため最近では、髪を刈った際に生じる髪の切り屑を吸引することで、調髪を受ける者の頭部から除去する装置が用いられている（例えば、特許文献１参照）。
【０００３】
特許文献１には、「整髪時における毛髪切り屑のクリーニング装置が、吸引用バキューム装置及びそれに連結された吸引管と、吸引管の先端に設けられた伸縮自在な吸引用蛇腹管と、該蛇腹管の先端に取着された開口部を有する吸引器具とからなる吸引清掃器具と、該吸引清掃器具を立設収納する収納部を備え、前記吸引清掃器具は、収納部の上部から延出され、収納部の下部に前記吸引器具の開口部を挿脱自在に嵌着させる凹部又は凸部からなる受具を備えてなることを特徴とする理容美容用クリーニング装置」（請求項１）が開示されている。
【０００４】
【特許文献１】特開平１０−９４４２８号公報（第２図、請求項１）
【発明の開示】
【発明が解決しようとする課題】
【０００５】
しかしながら、特許文献１に記載の装置（以下、「文献装置」という。）は、吸引によって髪の切り屑を頭部から除去するものであるため、吸引口の部分を調髪を受ける者の頭部に接触させるようにして頭部に沿って動かす必要があった（特に、特許文献１の第２図と、特許文献１の発明の詳細な説明中、段落番号０００５「図２は、吸引清掃作業中の詳細を示す外観図である。図において、７ｃは受具（突起体器具）、１５は収納部、１６は収納部下部の突起体器具の取り付け部である。図２は、吸引清掃器具８の伸縮管４ｃ及び吸引用蛇腹管５ｃを収納部１５の上方より引き出し、顧客の頭部４２を吸引器具６ｃにより清掃している状態を示す。」との記載と、を参照されたい。）。
【０００６】
つまり文献装置においては、髪を動かしつつ吸引しないと髪の内部（髪の毛の層のうちの内部）に存する切り屑をうまく除去することはできないのであり、このため何らかの部分（通常、吸引口の部分）を頭部に接触させて動かし髪を動かすことは必須である（以下、頭部に接触させる部分を「接触部分」という。）。即ち文献装置では、接触部分を頭部に接触させずして、吸引によって髪の切り屑を頭部から除去することは不可能である。
ところが、接触部分は複数の者の頭部に接触させられるので、油脂、汗及びフケ等の付着により不潔になるという問題があった。かかる不潔な接触部分は、調髪を受ける者を不快にするのみならず、ときには皮膚病を伝染させることすらあり得る。
【０００７】
そこで、本発明においては、調髪を受ける者の頭部に接触させる部分を有さず、髪の切り屑を頭部から除去することができる装置を提供することを目的とする。
【課題を解決するための手段】
【０００８】
本発明の装置（以下、「本装置」という。）は、調髪に際し調髪を受ける者の頭部に向けて気体を噴射する装置であって、気体の供給源に一端が連結される導管と、該導管の他端に取り付けられ、気体を吐出するノズル部と、を備えてなる、装置である。
こうすることで気体の供給源（例えば、コンプレッサーや高圧の気体が充填されたボンベ等）に一端が連結される導管により、導管の他端に向けて気体が導かれる。そして、導管の他端に取り付けられたノズル部から気体が吐出されるので、かかる吐出される気体を調髪を受ける者の頭部に向けて噴射することができる。ここに頭部に向かって噴射される気体は、該頭部に生えている髪をうまく動かすことができると共に、該頭部に存する髪の切り屑をうまく吹き飛ばすことができ、これによって切り屑をうまく頭部から除去することができる。特に、本装置により噴射される気体は、文献装置のように吸引される気体に比して、頭部に生えている髪をうまく動かすことができると共に、頭部に付着した切り屑を頭部からうまく引き離すことができるので、本装置は、調髪を受ける者の頭部に接触させる部分を要することなく、髪の内部に存する切り屑も含めて切り屑を頭部から極めて効果的に除去することができる。
【０００９】
前記導管が、所定の剛性を有する回動部を少なくとも一部に有してなり、該回動部の一端に存する回動軸が、該回動部の該一端と他端とを結ぶ第１線分を含む直線上に存さず水平面に対して所定の角度をなすもの（以下、「回動本装置」という。）であってもよい。なお、「回動部の一端」とは、導管の前記一端（気体の供給源に連結される端）に「回動部の他端」よりも近い端（即ち、導管の前記他端に「回動部の他端」よりも遠い端）をいい、「回動部の他端」とは、導管の前記他端（ノズル部が取り付けられる端）に「回動部の一端」よりも近い端（即ち、導管の前記一端に「回動部の一端」よりも遠い端）をいう。つまり、「回動部の一端」と「回動部の他端」はそれぞれ、流通する気体の上流側と下流側に位置する。
ここに「所定の剛性」とは、回動部の一端を水平に支持した際、回動部の一端と他端とを結ぶ線分（第１線分）が鉛直方向に対して所定の角度以上となるような性質をいう。なお、この回動部の一端と他端とを結ぶ線分（第１線分）が鉛直方向に対してなす角とは、該線分（該一端と該他端とを結ぶ線分）と、鉛直方向にのびる直線と、がなす２つの角のうち小さい方の角をいう（従って、該一端と該他端とが同じ高さであれば９０度で最大となるが、該一端と該他端との高さが異なれば９０度よりも小さくなる。）。ここに所定の角度（回動部の一端と他端とを結ぶ線分が鉛直方向に対してなす角の下限）は、好ましくは３０度、より好ましくは４５度、最も好ましくは６０度である（前述の通り、９０度以下）。
こうすることで回動部の一端と他端とを結ぶ第１線分を含む直線上に存さない回動軸の周りに回動部の一端が回動されるので、この回動に伴って該他端の位置が移動する。さらに、該回動軸は、水平面に対して所定の角度をなすので、この回動に伴う該他端の位置移動は水平方向成分を含む。このためこの回動により該他端は水平方向に関して移動するので、回動部の一端を適宜回動させることにより、ノズル部の位置を水平方向に関して円滑に移動させることができる（回動部の他端は、回動部の一端よりもノズル部に近い。）。
また、回動軸が水平面に対してなす角度とは、回動軸を含む直線と、水平な平面と、がなす２つの角のうち小さい方の角をいう（従って、回動軸が水平であれば０度で最小となり、回動軸が鉛直であれば９０度で最大になる。）。この回動軸が水平面に対してなす角度（所定の角度）は、好ましくは５０度以上、より好ましくは６５度以上、最も好ましくは８０度以上である（前述の通り、９０度以下）。
【００１０】
回動本装置の場合、前記回動軸が、壁面を含む平面である壁平面の内側に存し、前記回動部が所定の回動位置においては前記回動部の前記他端が該壁平面から突出すると共に、前記回動部が所定の回動位置においては前記回動部の前記他端が該壁平面の内側に存するもの（以下、「収納本装置」という。）であってもよい。
こうすることで本装置が設置される場所に壁面が存すれば、回動部の一端を回動させることで回動部の他端を壁平面から突出させたり壁平面の内側に収納することを自由に行うことができ、使用に際して突出させ、使用しないときには収納することができるので極めて便利である。なお、回動部の前記他端が壁平面から突出するとは、調髪を受ける者から見たときに、壁平面よりも手前に該他端が存することをいう。同様に、回動部の前記他端が壁平面の内側に存するとは、調髪を受ける者から見たときに、壁平面よりも向こう側に該他端が存することをいう。また、回動軸が壁平面の内側に存するとは、回動軸が回動部の一端を貫通している部分が、調髪を受ける者から見たときに、壁平面よりも向こう側に存していることをいう。
【００１１】
収納本装置の場合、前記壁面が鏡面であってもよい。
調髪を受ける者の前には、該者が調髪の様子を観察できるように、鏡が配設されることがほとんどである。この鏡の表面である鏡面を壁面と考え、この鏡面を含む平面である壁平面の内側に回動軸が存するようにして、回動部の前記他端が該壁平面から突出したり該壁平面の内側に収納できるようにすれば、空間を有効に利用することができる。
【００１２】
回動本装置の場合、前記調髪を受ける者の頭部が位置すると想定される高さよりも高い位置において前記回動部が回動するもの（以下、「高位置回動本装置」という。）であってもよい。
こうすることで回動部を回動させる際、調髪を受ける者の頭部に回動部が衝突しないので、安全かつ容易に回動本装置を用いることができる。
なお、回動部の回動位置があまり高いと、調髪する者（通常、理容師や美容師等）の作業性が悪いので、回動部の回動位置は、通常、調髪を受ける者の頭部が位置すると想定される高さより１．５ｍ高い位置よりも低くされることが好ましく、より好ましくは１ｍ高い位置よりも低くされ、最も好ましくは０．７ｍ高い位置よりも低くされる。
【００１３】
高位置回動本装置の場合、前記回動部が伸縮するものであり、前記回動部が最も伸びた状態において、前記回動部が回動すると、前記者（調髪を受ける者）の頭部の真上を前記回動部が通過するもの（以下、「頭上通過本装置」という。）であってもよい。
こうすることで回動部を伸縮させると共に、回動部を回動させることで、調髪を受ける者の頭部に対して種々の方向に回動部の他端を位置させることができ、該頭部に対して種々の方向から気体を容易に噴射することができる。
【００１４】
頭上通過本装置の場合、前記回動部が、内部に気体を流通させる柔軟な管部と、該管部を長手方向に沿って支持する棒状部材である支持棒材と、を含んでなるものであり、該支持棒材が伸縮することで前記回動部が伸縮するものであってもよい。
ここに「柔軟な管部」とは、支持棒材が伸縮するにつれて管部が屈曲等して回動部の伸縮を妨げないことを言うが、通常、回動部が最も伸びた状態における支持棒材の長さを半分にしても管部が屈曲することで問題が生じない程度の柔軟性を有する管部を意味する。
このようにすることで、柔軟な管部と、それを長手方向に沿って支持する伸縮可能な支持棒材と、を用いるという簡単な構成で回動部を伸縮させることができるので、本装置を廉価、堅牢及び容易に構成することができる。
【００１５】
頭上通過本装置の場合、前記回動部が、中空の内側パイプと、該内側パイプにスライド自在に外嵌される外側パイプと、を含んでなり、該内側パイプと該外側パイプとの内部空間を前記気体が流通し、該内側パイプに対して該外側パイプがスライドすることで前記回動部が伸縮するものであってもよい。
このようにすることで、中空の内側パイプと、該内側パイプにスライド自在に外嵌される中空の外側パイプと、を用いるという簡単な構成で回動部を伸縮させることができるので、本装置を廉価、堅牢及び容易に構成することができる。
【００１６】
本装置においては、前記導管が、前記回動部の前記他端と前記ノズル部との間に柔軟な柔軟管部を有するものであってもよい。
このようにすることで、回動部の前記他端とノズル部との間に配設される柔軟な柔軟管部が自由に屈曲することにより、ノズル部を自由に移動させることができるので、ノズル部からの気体噴射の位置や方向を迅速かつ自由に調節することができるので大幅に作業効率を上昇させることができる。
なお、「柔軟な柔軟管部」とは、このようにノズル部の移動を自由に行える程度に柔軟なものであれば足りるが、通常、半径５ｃｍ程度の円周に沿って柔軟管部を屈曲させることができるものであればよい。
【００１７】
本装置においては、前記ノズル部が、前記気体噴射を断続する断続弁を有するものであってもよい。
こうすることでノズル部を把持する手により断続弁を操作することで、気体の噴射を自由に断続することができるので、ノズル部よりも離れた位置に存する弁を操作する場合に比して、作業効率を上昇させることができる。
【発明を実施するための最良の形態】
【００１８】
以下、本発明の実施の形態を図面を参照して説明する。しかしながら、これらによって本発明は何ら制限されるものではない。
【００１９】
図１は、本発明の、調髪に際し調髪を受ける者の頭部に向けて気体を噴射する装置１１（本装置）の一実施形態を示す斜視図である。そして、図２（ａ）は、図１の概略平面図（図１中、矢印Ａ方向から見たところを示す。）であり、図２（ｂ）は、後述するノズル部たる空気ノズル１９の近傍を拡大した概略図（図１中、矢印Ｂ方向から見たところを示す。）である。
図１及び図２を参照して、本装置１１について説明する。
本装置１１は、調髪を受ける者（図示せず）の前面に配設される鏡１０１が取り付けられた箱体１０５の上面に取り付けられており、大まかにいうと、一端が回動自在（回動軸１３ｒ）に箱体１０５の上面に取り付けられた第１支持棒材１３（中空な直円柱形状）と、第１支持棒材１３に一端側がスライド自在に内嵌された第２支持棒材１５と、図示しない空気コンプレッサー（気体たる空気の供給源）に一端が連結され第１支持棒材１３と第２支持棒材１５との内部を貫通するホース１７（柔軟なゴム製）と、ホース１７の他端に取り付けられた空気ノズル１９と、を備えてなる。
【００２０】
第１支持棒材１３と第２支持棒材１５とのいずれもステンレス製の中空のパイプによって形成されている。
第１支持棒材１３は、その一端に取付部１３ａを有しており、取付部１３ａが箱体１０５の上面に回動自在に取り付けられている。取付部１３ａの回動軸１３ｒは鉛直方向（なお、図１中、鉛直上方向を矢印Ｄ１にて、鉛直下方向を矢印Ｄ２にて、それぞれ示した。）に向いており、このため取付部１３ａの回動軸１３ｒの周りの回動によって第１支持棒材１３は図２（ａ）中、矢印Ｃ方向に回動可能である。
【００２１】
一方、第２支持棒材１５（後述のフック部１５ｆを除き中空な直円柱形状）は、その一端側が第１支持棒材１３にスライド自在（図１及び図２（ａ）中、スライド方向を矢印Ｅにて示した。）に内嵌されており、第１支持棒材１３に対して第２支持棒材１５をスライドさせることである程度の位置まで第２支持棒材１５を引き出したり（第１支持棒材１３に対し第２支持棒材１５が抜け落ちないよう、図示しないストッパーが設けられている。）逆に押し込むことができる（なお、図１及び図２（ａ）においては、第１支持棒材１３に対し第２支持棒材１５を最も押し込んだ状態を図示している。）。なお、ここでは第２支持棒材１５は、第１支持棒材１３が形成する円筒の軸の周りに、第１支持棒材１３に対して回動可能である。
また、第２支持棒材１５は、下方に向けて屈曲したフック状のフック部１５ｆをその他端側に有しており、フック部１５ｆには、空気ノズル１９が着脱自在に係止されている。
【００２２】
柔軟なゴムにより形成されたホース１７の前記一端は、図示しない空気コンプレッサー（気体たる空気の供給源）に連結されており、該空気コンプレッサーにより、常時、圧縮空気がホース１７の前記一端に供給されている。ホース１７は、第１支持棒材１３の一端（取付部１３ａ側）から第２支持棒材１５のフック部１５ｆの下端まで第１支持棒材１３及び第２支持棒材１５の内部を通過している。なお、図示していないが、第１支持棒材１３に対し第２支持棒材１５を引き出すことができるよう、図１及び図２（ａ）のように第１支持棒材１３に対し第２支持棒材１５が押し込まれた状態ではホース１７は、第１支持棒材１３及び第２支持棒材１５の内部にて屈曲してたたまれている。
第２支持棒材１５のフック部１５ｆの下端から第２支持棒材１５の外部に突出したホース１７は、アルファベットの「Ｕ」の字形に垂れ下がっており（ホース１７のうち外から観察されるのは、かかる垂れ下がり部分のみである。）、そしてホース１７の他端には前述のように空気ノズル１９が接続されている。
【００２３】
ホース１７の前記他端に接続された空気ノズル１９は、空気の噴射を断続する断続弁（図示せず）を内蔵しており、レバー１９ａを操作することで該断続弁を動作させ空気の噴射を自由に断続することができる。
空気ノズル１９の空気を噴射する噴射口の形状は、該噴射口から噴射される空気によって、頭部に存する髪の切り屑をうまく吹き飛ばすことができるように決定されている（スプレーの吹き出し口に似た構造にされている。）。
【００２４】
図３は、本装置１１の設置状態を示す平面図である。図３を参照して、本装置１１の設置状態について説明する（なお、後述するように、図３においては、異なる３の回動位置（位置１、位置２及び位置３）における本装置１１を示している。）。
調髪を受ける者２０１が椅子２２１に腰掛けている。本装置１１は、調髪を受ける者２０１の頭部２０３に向けて気体を噴射するために配設されている。本装置１１は、前述の図１及び図２に示したのと同様に配設されており、具体的には、調髪を受ける者２０１の前面に配設される鏡１０１が取り付けられた箱体１０５の上面に取り付けられており、一端が回動自在（回動軸１３ｒ）に箱体１０５の上面に取り付けられた第１支持棒材１３と、第１支持棒材１３に一端側がスライド自在に内嵌された第２支持棒材１５と、図示しないホース１７（図３中では図示していない）と、ホース１７の他端に取り付けられた空気ノズル１９と、を備えている。
【００２５】
前述のように、第１支持棒材１３の取付部１３ａは、箱体１０５に対して回動自在（回動軸１３ｒ）に取り付けられており、それによって図３中の位置１、位置２及び位置３のような位置へと自由に回動することができる。ここでは位置１から位置３まで連続的に回動することができると共に、位置１から位置３までのいずれの位置においても位置を保持することができる。
一方、前述のように、第１支持棒材１３に対して第２支持棒材１５はスライド自在に内嵌されており、そのスライドの様子を位置２及び位置３において示している。即ち、位置２及び位置３においては、第１支持棒材１３に対して第２支持棒材１５を最も引き出した状態を第２支持棒材１５ｂとして示し、最も押し込んだ状態を第２支持棒材１５ａとして示している。即ち、第２支持棒材１５は、第１支持棒材１３に対して、最も押し込んだ状態の第２支持棒材１５ａから最も引き出した状態の第２支持棒材１５ｂまで自由にスライドすることができる。
【００２６】
図４は、図１乃至図３に示した本装置１１の使用状態の一例を示す斜視図である。図４を参照して、本装置１１の使用状態について説明する。
まず、図３と同様、調髪を受ける者２０１が椅子２２１に腰掛けている。一方、理容師３０１が、調髪を受ける者２０１の背後に立ち、右手に本装置１１の空気ノズル１９を把持している。そして、図示しないレバー（図２（ｂ）においてはレバー１９ａ）を該右手で操作し、空気ノズル１９が内蔵する断続弁を動作させ空気を噴射している。この噴射される空気によって、調髪を受ける者２０１の頭部２０３に存する髪の切り屑をうまく吹き飛ばしている。
なお、図４に示すように空気ノズル１９を適した位置（空気ノズル１９から噴射される空気によって、調髪を受ける者２０１の頭部２０３に存する髪の切り屑をうまく吹き飛ばすことができる位置）に移動させるため、前述のように、理容師３０１が、第１支持棒材１３を箱体１０５に対して適した位置に回動（回動軸１３ｒ）させると共に、第１支持棒材１３に対して第２支持棒材１５を適したスライド位置にスライドさせている。
【００２７】
このように本装置１１は、理容店や美容店等のように調髪を行う場所に自由に設置することができ、さらにその態様も様々に変えることができる。図５は、本装置１１の設置例を例示した図である。図５（ａ）、（ｂ）及び（ｃ）のいずれにおいても、調髪を受ける者（図５においては図示せず）が着座する椅子２２１に示された矢印Ｊは、椅子２２１に座った調髪を受ける者（図示せず）の前方向を示している。図５（ａ）、（ｂ）及び（ｃ）のいずれも、本装置１１を使用しないときの状態（即ち、収納状態）を示しており、図５（ａ）、（ｂ）及び（ｃ）のいずれにおいても矢印Ｋは、本装置１１を使用するために第１支持棒材１３を回動させる方向を示している。
【００２８】
図５（ａ）は、図１乃至図３に示した本装置１１に比して、調髪を受ける者（図示せず）から見て取付部１３ａの位置が右側（図１乃至図３に示した本装置１１においては左側）に変わった点のみが異なり、それ以外は同じであるので、同様の説明は省略する（なお、図５（ａ）において、図１乃至図３に示した要素と同じ要素には同じ参照番号を付している。）。図５（ａ）においては、調髪を受ける者（図示せず）の前面に配設される鏡１０１が取り付けられた箱体１０５の上面に、第１支持棒材１３の右端に配設された取付部１３ａが回動自在（回動軸１３ｒ）に取り付けられている。
図５（ｂ）は、図１乃至図３に示した本装置１１に比して、調髪を受ける者（図示せず）から見て右側に存する箱体１２１の上面に、第１支持棒材１３の取付部１３ａが回動自在（回動軸１３ｒ）に取り付けられている点のみが異なり、それ以外は同じであるので、同様の説明は省略する（なお、図５（ｂ）においても、図１乃至図３に示した要素と同じ要素には同じ参照番号を付している。）。なお、図５（ｂ）においても、取付部１３ａの位置を逆向きにしてよいことは言うまでもない（即ち、図５（ｂ）では第１支持棒材１３の上端が取付部１３ａとなっているが、下端に取付部１３ａをもってきてもよい。）。
図５（ｃ）は、図１乃至図３に示した本装置１１に比して、調髪を受ける者（図示せず）から見て左側に存する箱体１３１の上面に、第１支持棒材１３の取付部１３ａが回動自在（回動軸１３ｒ）に取り付けられている点のみが異なり、それ以外は同じであるので、同様の説明は省略する（なお、図５（ｃ）においても、図１乃至図３に示した要素と同じ要素には同じ参照番号を付している。）。なお、図５（ｃ）においても、取付部１３ａの位置を逆向きにしてよいことは言うまでもない（即ち、図５（ｃ）では第１支持棒材１３の上端が取付部１３ａとなっているが、下端に取付部１３ａをもってきてもよい。）。
【００２９】
以上のように、本装置１１は、調髪に際し調髪を受ける者２０１の頭部２０３に向けて気体（ここでは空気）を噴射する装置であって、気体の供給源（ここでは図示しない空気コンプレッサー）に一端が連結される導管（ここでは該空気コンプレッサーから第１支持棒材１３までのホース１７自身によって構成される第１部分、第１支持棒材１３とその内部を通過するホース１７とによって構成される第２部分、第２支持棒材１５とその内部を通過するホース１７とによって構成される第３部分、第２支持棒材１５のフック部１５ｆの下端から第２支持棒材１５の外部に突出したホース１７自身によって構成される第４部分、の４つの部分を含む。以下、これらの部分をそれぞれ第１部分、第２部分、第３部分、第４部分という。）と、該導管の他端に取り付けられ、気体を吐出するノズル部たる空気ノズル１９と、を備えてなる、装置である。
【００３０】
そして、前記導管（前述のように、第１部分、第２部分、第３部分、第４部分を含む。）が、所定の剛性を有する棒状の回動部（ここでは第１支持棒材１３とその内部を通過するホース１７とによって構成される第２部分と、第２支持棒材１５とその内部を通過するホース１７とによって構成される第３部分と、を含んでなる。）を少なくとも一部に有してなる。また、回動部（第２部分と第３部分）の一端（ここでは第１支持棒材１３の取付部１３ａ側）に存する回動軸１３ｒが、回動部（第２部分と第３部分）の該一端（ここでは第１支持棒材１３の取付部１３ａ側）と他端（ここでは第２支持棒材１５の外部にホース１７が突出する位置である第２支持棒材１５のフック部１５ｆの下端）とを結ぶ第１線分を含む直線上に存さない。また、回動部（第２部分と第３部分）の一端（ここでは第１支持棒材１３の取付部１３ａ側）に存する回動軸１３ｒは、水平面に対して所定の角度（ここでは回動軸１３ｒは鉛直方向に略向いているので、約９０度）をなす。
なお、ここでは回動部（第２部分と第３部分）の一端（ここでは第１支持棒材１３の取付部１３ａ側）を水平に支持した際（即ち、図１乃至図３のような状態）、回動部（第２部分と第３部分）の一端（ここでは第１支持棒材１３の取付部１３ａ側）と他端（ここでは第２支持棒材１５の外部にホース１７が突出する位置である第２支持棒材１５のフック部１５ｆの下端）とを結ぶ線分（第１線分）が鉛直方向に対して約８０度になっているので、該回動部は所定の剛性を有している。
【００３１】
そして、図３においては、回動軸１３ｒが、壁面たる鏡面１０１ｆ（鏡１０１の表面）を含む平面である壁平面１４１の内側に存し（即ち、回動軸１３ｒが回動部（第２部分と第３部分）の一端（ここでは第１支持棒材１３の取付部１３ａ側）を貫通している部分が、調髪を受ける者２０１から見たときに、壁平面１４１よりも向こう側に存している。）、回動部（第２部分と第３部分）が所定の回動位置においては回動部（第２部分と第３部分）の前記他端（ここでは第２支持棒材１５の外部にホース１７が突出する位置である第２支持棒材１５のフック部１５ｆの下端）が壁平面１４１から突出する（調髪を受ける者２０１から見たときに、壁平面１４１よりも手前に該他端が存する。）と共に、回動部（第２部分と第３部分）が所定の回動位置においては回動部（第２部分と第３部分）の前記他端（ここでは第２支持棒材１５の外部にホース１７が突出する位置である第２支持棒材１５のフック部１５ｆの下端）が壁平面１４１の内側に存する（調髪を受ける者２０１から見たときに、壁平面１４１よりも向こう側に該他端が存する。）。
【００３２】
さらに、ここでは調髪を受ける者２０１の頭部２０３が位置すると想定される高さよりも高い位置において前記回動部（第２部分と第３部分）が回動する。
そして、ここでは第１支持棒材１３に対して第２支持棒材１５がスライドすることで、回動部（第２部分と第３部分）が伸縮するものであり、回動部（第２部分と第３部分）が最も伸びた状態（図３において、第２支持棒材１５ｂの状態）において、回動部（第２部分と第３部分）が回動すると、前記者２０１の頭部２０３の真上を回動部（第２部分と第３部分）が通過する。
なお、ここでは回動部（第２部分と第３部分）が、内部に気体を流通させる柔軟な管部たるホース１７と、該管部たるホース１７を長手方向に沿って支持する棒状部材である支持棒材（ここでは第１支持棒材１３と第２支持棒材１５）と、を含んでなるものであり、支持棒材が伸縮すること（ここでは第１支持棒材１３に対して第２支持棒材１５がスライドすること）で前記回動部（第２部分と第３部分）が伸縮する。
【００３３】
また、ここでは前記導管（第１部分、第２部分、第３部分、第４部分を含む。）が、回動部（第２部分と第３部分）の前記他端（ここでは第２支持棒材１５の外部にホース１７が突出する位置である第２支持棒材１５のフック部１５ｆの下端）と前記ノズル部たる空気ノズル１９との間に柔軟な柔軟管部（ここでは第２支持棒材１５のフック部１５ｆの下端から第２支持棒材１５の外部に突出したホース１７自身によって構成される第４部分）を有する。
加えて、ここでは前記ノズル部たる空気ノズル１９が、気体（ここでは空気）噴射を断続する断続弁を有する。なお、該断続弁は、空気ノズル１９に内蔵されており、前述の通り、レバー（図２（ｂ）においてはレバー１９ａ）を操作することで気体（ここでは空気）噴射を断続する。
【００３４】
なお、本装置１１は、調髪に際し調髪を受ける者２０１の頭部２０３に向けて気体（ここでは空気）を噴射することで、前述の通り、頭部２０３に存する髪の切り屑を吹き飛ばして頭部２０３をクリーニングする目的に使用できるが、かかる使用目的に限定されるものではなく種々の用途に使用することができる。例えば、調髪を受ける者２０１の頭部２０３に向けて気体（ここでは空気）を噴射することで、ドライヤーとして使用したり（噴射する気体の加熱手段を設けるようにしてもよい。）、霧吹きとして使用することもできる。
【００３５】
そして、本装置１１は、空気ノズル１９を調髪を受ける者２０１の頭部２０３に接触させることなく、髪の切り屑を頭部２０３からうまく除去することができる（本装置１１は、調髪を受ける者２０１の頭部２０３に接触させる部分を有さない。）。また、第１支持棒材１３を回動（回動軸１３ｒ）させることで、回動部（第２部分と第３部分）を壁平面１４１の内側に収納することができる（調髪を受ける者２０１から見たときに、回動部（第２部分と第３部分）を壁平面１４１よりも向こう側に移動させることができる。）。無論、第１支持棒材１３を回動（回動軸１３ｒ）させることで、回動部（第２部分と第３部分）を壁平面１４１よりも前に自由に引き出すことができる。加えて、第１支持棒材１３に対して第２支持棒材１５を押し込んだ状態（図３中、第２支持棒材１５ａ）にして第１支持棒材１３を回動（回動軸１３ｒ）させることで、小さな空間にも収納することができる。なお、本装置１１により噴射される気体は、噴射される前に種々の処理を受けてもよく、例えば、昇温（加温。例えば、冬季において調髪を受ける者２０１が、噴射される気体により寒さを感じることを防止するのに有効である。）、降温（冷却）、加湿、除湿等されてよいことは言うまでもない。
【図面の簡単な説明】
【００３６】
【図１】本装置の一実施形態を示す斜視図である。
【図２】図２（ａ）は図１の概略平面図であり、図２（ｂ）は空気ノズルの近傍を拡大した概略図である。
【図３】本装置の設置状態を示す平面図である。
【図４】本装置の使用状態の一例を示す斜視図である。
【図５】本装置のいくつかの設置例を例示した図である。
【符号の説明】
【００３７】
１１          本装置
１３          第１支持棒材
１３ａ        取付部
１３ｒ        回動軸
１５          第２支持棒材
１５ａ        最も押し込んだ状態の第２支持棒材
１５ｂ        最も引き出した状態の第２支持棒材
１５ｆ        フック部
１７          ホース
１９          空気ノズル
１９ａ        レバー
１０１          鏡
１０１ｆ        鏡面
１０５          箱体
１２１          箱体
１３１          箱体
１４１          壁平面
２０１          調髪を受ける者
２０３          頭部
２２１          椅子
３０１          理容師
【図１】
2006043060.tif 000003
【図２】
2006043060.tif 000004
【図３】
2006043060.tif 000005
【図４】
2006043060.tif 000006
【図５】
2006043060.tif 000007